(57)【要約】      （修正有）【課題】墓石本体とは別に収納室を形成することにより、設計自在性、形状自在性に優れ、限られたスペースを有効に利用することができ、蝋燭や線香等の小物だけでなく、バケツ等の大きな物或いはひしゃくやほうき等の長尺な物でも簡便に収容することができる汎用性、機能性に優れたお墓を提供する。【解決手段】収納室と、収納室の前面に開閉自在に配設された開閉扉と、収納室の後壁に形成された孔部と、収納室の後壁に連設された連設部と、孔部に連通して連設部に形設された空洞部と、を備えている。【選択図】図２
0003144649.tif 000002
【実用新案登録請求の範囲】
【請求項１】
収納室と、前記収納室の前面に開閉自在に配設された開閉扉と、前記収納室の後壁に形成された孔部と、前記収納室の後壁に連設された連設部と、前記孔部に連通して前記連設部に形設された空洞部と、を備えたことを特徴とするお墓。
【請求項２】
前記空洞部が、前記収納室側が低く、前記連設部の後方側が高くなるように傾斜して形成されていることを特徴とする請求項１に記載のお墓。
【請求項３】
前記連設部が、前記空洞部に連通して前記連設部の底部側に開口した排出孔を備えたことを特徴とする請求項１又は２に記載のお墓。
【請求項４】
前記収納室が、墓石本体の左右に配置される門柱の少なくともいずれか一方に形成され、
前記連設部が、前記墓石本体の外周部に配設される外柵部の少なくとも一部であることを特徴とする請求項１乃至３の内いずれか１項に記載のお墓。
【考案の詳細な説明】
【技術分野】
【０００１】
本考案は、お墓の構造に関し、特に、蝋燭や線香等の小物だけでなく、ひしゃくやほうき等の長尺物でも収納することが可能な収納室を備えたお墓に関するものである。
【背景技術】
【０００２】
従来から、お墓には様々な工夫が施されており、蝋燭や線香等の小物を収容するための収納室を備えたお墓も提案されている。
例えば、（特許文献１）には、「墓構造の内部に開閉可能な扉を有する有底の収納室が墓構造と一体に設けられており、且つ上記開閉可能な扉が上記墓構造のいずれかの側面に装着されていることを特徴とする墓構造。」が開示されている。
【特許文献１】特開２００６−２９９６５１号公報
【考案の開示】
【考案が解決しようとする課題】
【０００３】
しかしながら、上記従来の技術においては、以下のような課題を有していた。
（１）（特許文献１）は、収納室が墓構造と一体に設けられるため、収納室の大きさや形状が限定され、設計自在性に欠けるという課題を有していた。
（２）竿石を支持する上台などに収納室を形成する場合、強度が不足して耐久性が低下し易くなる可能性があり、収納室の容積が限られるため、蝋燭や線香等の小物を収容することはできるが、バケツ等の大きな物或いはひしゃくやほうき等の長尺な物を収容することができず、汎用性に欠けるという課題を有していた。
【０００４】
本考案は、上記課題を解決するもので、墓石本体とは別に収納室を形成することにより、設計自在性、形状自在性に優れ、限られたスペースを有効に利用することができ、蝋燭や線香等の小物だけでなく、バケツ等の大きな物或いはひしゃくやほうき等の長尺な物でも簡便に収容することができる汎用性、機能性に優れたお墓を提供することを目的とする。
【課題を解決するための手段】
【０００５】
上記課題を解決するために本考案のお墓は、以下の構成を有している。
本考案の請求項１に記載のお墓は、収納室と、前記収納室の前面に開閉自在に配設された開閉扉と、前記収納室の後壁に形成された孔部と、前記収納室の後壁に連設された連設部と、前記孔部に連通して前記連設部に形設された空洞部と、を備えた構成を有している。
この構成により、以下のような作用を有する。
（１）収納室の後壁に形成された孔部と、孔部に連通して連設部に形設された空洞部を有するので、ひしゃくやほうき等の長尺物の柄を孔部から空洞部に挿通して収容することができ、汎用性に優れる。
（２）収納室の後壁に連設された連設部に空洞部を形設することにより、収納室を大型化することなく、限られたスペースを有効に利用して、収納容積の拡大を図ることができ、省スペース性に優れる。
（３）収納室の前面に開閉扉を配設することにより、収納室と収納室の後壁に連設された連設部との間で、スムーズにひしゃくやほうき等の長尺物を出し入れすることができ、取扱い性に優れる。
（４）収納室に蝋燭や線香等の小物だけでなく、バケツ等の大きな物或いはひしゃくやほうき等の長尺な物を収容することができるので、墓参りをする時の手荷物の量を減らすことができ、利便性に優れる。
【０００６】
ここで、収納室は、お墓の構成とは別に形成してもよいが、お墓を構成する門柱などに形成した場合、別途、設置スペースを必要とせず、省スペース性に優れる。
また、連設部は、墓石本体の下部に形成される舞台（納骨室）などの壁部や墓石本体の外周部に配設される外柵部の一部として使用することができ、省スペース性に優れる。
【０００７】
請求項２に記載の発明は、請求項１に記載のお墓であって、前記空洞部が、前記収納室側が低く、前記連設部の後方側が高くなるように傾斜して形成されている構成を有している。
この構成により、請求項１の作用に加え、以下のような作用を有する。
（１）空洞部が、収納室側が低く、連設部の後方側が高くなるように傾斜して形成されていることにより、空洞部に雨水などが浸入し難く、また、雨水などが浸入したとしても、抜け易いので、空洞部を衛生的に保つことができ、清潔性に優れる。
ここで、連設部となる石材に孔を穿設して空洞部を形成してもよいし、板材を貼り合わせて空洞部を有する中空状の連設部を形成してもよい。
【０００８】
請求項３に記載のお墓は、請求項１又は２に記載のお墓であって、前記連設部が、前記空洞部に連通して前記連設部の底部側に開口した排出孔を備えた構成を有している。
この構成により、請求項１又は２の作用に加え、以下のような作用を有する。
（１）連設部が、空洞部に連通して連設部の底部側に開口した排出孔を有することにより、空洞部及びそれに連通する収納室の通気性に優れ、収納室に収納される蝋燭や線香などを乾燥した状態で保管することができ、乾燥性、保管の信頼性に優れる。
（２）排出孔は水抜き孔としても利用することができ、空洞部に水が溜まることを確実に防止することができる。また、外部から空洞部に水が浸入した場合でも、その水を収納室に浸入させることなく、排出孔から外部に排水することができるので、収納室に収納される蝋燭や線香などが水で濡れることを防止でき、保管の信頼性に優れる。
（３）排出孔が連設部の底部側に開口していることにより、排出孔が目立つことがなく、美観を保つことができる。
【０００９】
ここで、排出孔は、空洞部の長手方向の任意の位置に設けることができるが、空洞部が傾斜している場合は、空洞部の低い位置に排出孔を配置することが好ましい。空洞部の内部に溜まった水を確実に排水するためである。尚、空洞部の傾斜とは無関係に、空洞部の底面部のみを排出孔に向かって低くなるように傾斜させても、同様の効果が得られる。
排出孔の上部若しくは下部に網体を配設した場合、蜘蛛や昆虫等の侵入を防止することができる。また、必要に応じて、排出孔に蓋体を嵌入して排出口を閉塞するようにしてもよい。
【００１０】
請求項４に記載のお墓は、請求項１乃至３の内いずれか１項に記載のお墓であって、前記収納室が、墓石本体の左右に配置される門柱の少なくともいずれか一方に形成されている構成を有している。
この構成により、請求項１乃至３の内いずれか１項の作用に加え、以下のような作用を有する。
（１）収納室が、墓石本体の左右に配置される門柱の少なくともいずれか一方に形成され、連設部が、墓石本体の外周部に配設される外柵部の少なくとも一部であることにより、別途、収納室や連設部を形成する必要がなく、新たな設置スペースも不要で、お墓全体をコンパクト化して限られたスペースを有効に利用することができ、量産性、省スペース性に優れる。
【考案の効果】
【００１１】
以上のように、本考案のお墓によれば、以下のような有利な効果が得られる。
請求項１に記載の考案によれば、以下のような効果を有する。
（１）収納室の後壁に連設された連設部に、収納室の後壁に形成された孔部に連通して空洞部が形設されることにより、ひしゃくやほうき等の長尺物の柄を孔部から空洞部に挿通して収容することができ、限られたスペースを有効に利用することができる汎用性、省スペース性に優れたお墓を提供することができる。
【００１２】
請求項２に記載の考案によれば、請求項１の効果に加え、以下のような効果を有する。
（１）連設部の長手方向に形成された空洞部の収納室側が低くなるように傾斜していることにより、雨水などが浸入し難く、抜け易いので、空洞部を衛生的に保つことができる清潔性に優れたお墓を提供することができる。
【００１３】
請求項３に記載の考案によれば、請求項１又は２の効果に加え、以下のような効果を有する。
（１）空洞部に連通して連設部の底部側に開口した排出孔を有することにより、空洞部及びそれに連通する収納室の通気性に優れるだけでなく、空洞部に溜まった水を収納室に浸入させることなく、排出孔から確実に外部に排水することができ、収納される蝋燭や線香などを乾燥した状態で保管することができる保管の信頼性に優れたお墓を提供することができる。
【００１４】
請求項４に記載の考案によれば、請求項１乃至３の内いずれか１項の効果に加え、以下のような効果を有する。
（１）墓石本体の左右に配置される門柱の少なくともいずれか一方に収納室を形成し、墓石本体の外周部に配設される外柵部の少なくとも一部を収納室に連設した連設部として利用することにより、別途、収納室や連設部を形成する必要がなく、新たな設置スペースも不要で、お墓全体をコンパクト化して限られたスペースを有効に利用することができる量産性、省スペース性に優れたお墓を提供することができる。
【考案を実施するための最良の形態】
【００１５】
（実施の形態１）
以下、本考案の実施の形態について、以下図面を参照しながら説明する。
図１は、本考案の実施の形態１のお墓の模式正面図であり、図２は、本考案の実施の形態１のお墓の要部断面模式側面図であり、図３は、本考案の実施の形態１のお墓の収納室を示す要部断面模式平面図である。
図１中、１は本考案の実施の形態１のお墓、２はお墓１の基礎部、３は基礎部２の上面に設置されたお墓１の舞台（納骨室）、４は舞台３の上部に配設された墓石本体、５は墓石本体４の左右前方にそれぞれ配置されたお墓１の門柱、６は門柱５の内部に形成された収納室、６ａは収納室６の前面に開閉自在に配設された開閉扉、６ｂは開閉扉６ａに配設されたつまみである。
【００１６】
次に、本考案の実施の形態１のお墓の収納室の構造について詳細に説明する。
図２及び図３中、６ｄは収納室６の後壁６ｃに形成された孔部、７は収納室６の後壁６ｃに外柵部として連設された連設部、７ａは孔部６ｄに連通して連設部７に形設された空洞部、７ｂは空洞部７ａに連通して連設部７の底部側に開口した排出孔、１０は柄１０ａを空洞部７ａに挿通するようにして収納室６に収納されたほうきである。
【００１７】
収納室６は、左右に配置される門柱５の少なくともいずれか一方に形成することができる。お墓１を構成する門柱５に収納室６を形成することにより、別途、ほうき，熊手，ブラシ等の掃除具や手入れ具、照明具等の収納スペースを必要とせず、省スペース性に優れる。尚、お墓１の構成とは別に、独立した収納室６をお墓１の側方や裏側等にお墓１の外柵部と連設するように形成してもよい。
また、本実施の形態では、墓石本体１の外周部に配設された外柵部を連設部７として利用したが、お墓１の構成に応じて、適宜、舞台３の一部を利用したり、別途、連設部７を設置したりすることもできる。
尚、空洞部７ａは、連設部７となる石材に孔を穿設して形成してもよいし、板材を貼り合わせて連設部７ａ自体を空洞部７ａを有する中空状に形成してもよい。
【００１８】
本実施の形態では、空洞部７ａを略水平に形成したが、収納室６側が低く、連設部７の後方側が高くなるように傾斜させて空洞部７ａを形成してもよい。これにより、空洞部７ａに雨水などが浸入し難く、また、雨水などが浸入したとしても、抜け易いので、空洞部７ａを衛生的に保つことができ、清潔性に優れる。
排出孔７ｂは、空洞部７ａの長手方向の任意の位置に設けることができるが、空洞部７ａを傾斜させる場合は、空洞部７ａの低い位置に排出孔７ｂを配置することが好ましい。空洞部７ａの内部に溜まった水を確実に排水するためである。尚、空洞部７ａの傾斜とは無関係に、空洞部７ａの底面部のみを排出孔７ｂに向かって低くなるように傾斜させても、同様の効果が得られる。
【００１９】
以上のように構成された実施の形態１のお墓の収納室の使用方法について説明する。
図３において、収納室６に蝋燭や線香等の小物、バケツなどを収納する場合には、つまみ６ｂを持って開閉扉６ａを手前に引き、収納室６の中にそれらを収納する。
ほうき１０やひしゃくなどの長尺物を収納する場合には、それらの柄１０ａの部分を孔部６ｄから空洞部７ａに挿通するようにして収納し、開閉扉６ａを閉める。
【００２０】
以上のように実施の形態１のお墓は構成されているので、以下の作用を有する。
（１）収納室６の後壁６ｃに形成された孔部６ｄと、孔部６ｄに連通して連設部７に形設された空洞部７ａを有するので、ひしゃくやほうき１０等の長尺物の柄１０ａを孔部６ｄから空洞部７ａに挿通して収容することができ、汎用性に優れる。
（２）収納室６の後壁６ｃに連設された連設部７に空洞部７ａを形設することにより、収納室６を大型化することなく、限られたスペースを有効に利用して、収納容積の拡大を図ることができ、省スペース性に優れる。
（３）収納室６の前面に開閉扉６ａを配設することにより、収納室６と収納室６の後壁６ｃに連設された連設部７との間で、スムーズにひしゃくやほうき１０等の長尺物を出し入れすることができ、取扱い性に優れる。
（４）収納室６に蝋燭や線香等の小物だけでなく、バケツ等の大きな物或いはひしゃくやほうき１０等の長尺な物を収容することができるので、墓参りをする時の手荷物の量を減らすことができ、利便性に優れる。
（５）連設部７が、空洞部７ａに連通して連設部５の底部側に開口した排出孔７ｂを有することにより、空洞部７ａ及びそれに連通する収納室６の通気性に優れ、収納室６に収納される蝋燭や線香などを乾燥した状態で保管することができ、保管の信頼性に優れる。
（６）排出孔７ｂは水抜き孔としても利用することができ、空洞部７ａに水が溜まることを確実に防止することができる。また、外部から空洞部７ａに水が浸入した場合でも、その水を収納室６に浸入させることなく、排出孔７ｂから外部に排水することができるので、収納室６に収納される蝋燭や線香などが水で濡れることを防止でき、保管の信頼性に優れる。
（７）排出孔７ｂが連設部７の底部側に開口していることにより、排出孔７ｂが目立つことがなく、美観を保つことができる。
（８）墓石本体４の左右に配置される門柱５の少なくともいずれか一方に収納室６を形成し、墓石本体４の外周部に門柱５と連設して配置される外柵部を連設部７として利用することにより、別途、収納室６や連設部７を形成する必要がなく、新たな設置スペースも不要で、お墓１全体をコンパクト化して限られたスペースを有効に利用することができ、量産性、省スペース性に優れる。
【図面の簡単な説明】
【００２１】
【図１】本考案の実施の形態１のお墓の模式正面図
【図２】本考案の実施の形態１のお墓の要部断面模式側面図
【図３】本考案の実施の形態１のお墓の収納室を示す要部断面模式平面図
【符号の説明】
【００２２】
１  お墓
２  基礎部
３  舞台（納骨室）
４  墓石本体
５  門柱
６  収納室
６ａ  開閉扉
６ｂ  つまみ
６ｃ  後壁
６ｄ  孔部
７  連設部
７ａ  空洞部
７ｂ  排出孔
１０  ほうき
１０ａ  柄
【図１】
0003144649.tif 000003
【図２】
0003144649.tif 000004
【図３】
0003144649.tif 000005